(57)【要約】【課題】室外でのサービスマンによる故障確認を行い易くし、且つ消費電力の低減を図ることができる空気調和機を提供する。【解決手段】室外機２０は、ＬＥＤ（発光ダイオード）を含んだＬＥＤ回路２０２を有し、ＬＥＤ回路２０２は、空気調和機１が異常状態の場合、空気調和機１が正常状態の場合に比べて大きい電流を上記ＬＥＤに流す。【選択図】図３
2018189248.tif 000002
【特許請求の範囲】
【請求項１】
室外機を備えた空気調和機であって、
前記室外機の筐体内に発光素子を含んだ発光素子回路を有し、
前記発光素子回路は、前記空気調和機が異常状態の場合、前記空気調和機が正常状態の場合に比べて大きい電流を前記発光素子に流す構成であり、
前記筐体には、前記発光素子の光を視認可能な位置に隙間が設けられる、
ことを特徴とする空気調和機。
【請求項２】
前記室外機は、前記発光素子回路を制御する制御部を有し、
前記制御部は、出力ポートから前記発光素子回路に出力する出力信号のデューティを変更することで、前記発光素子に流す電流を可変とする、ことを特徴とする請求項１に記載の空気調和機。
【請求項３】
前記室外機は、前記発光素子回路を制御する制御部を有し、
前記発光素子回路は、前記発光素子を流れる複数の電流の経路を変更するトランジスタを有し、
前記制御部は、出力ポートから出力する出力信号によって前記トランジスタを制御し、前記発光素子を流れる電流の経路を変更する、ことを特徴とする請求項１または請求項２に記載の空気調和機。
【請求項４】
前記空気調和機は、室内機と前記室外機の間で通信を行う通信回路を有し、
前記発光素子回路は、前記室外機の前記通信回路に設けられ、
前記空気調和機が正常状態の場合、前記発光素子は、前記通信回路の動作によって流れる電流により駆動される、ことを特徴とする請求項１に記載の空気調和機。
【請求項５】
前記発光素子は、第１発光素子と第２発光素子であって、
前記通信回路の動作によって前記第１発光素子が駆動され、
前記発光素子回路は、前記空気調和機が異常状態の場合に前記第２発光素子に電流を流す異常時用発光素子回路をさらに有し、
前記異常時用発光素子回路は、前記空気調和機が正常状態の場合、前記第２発光素子に電流を流さない、ことを特徴とする請求項４に記載の空気調和機。
【請求項６】
前記発光素子回路は、前記空気調和機が正常状態の場合に無効となり、前記空気調和機が異常状態の場合に有効となって前記発光素子を駆動する異常時用発光素子駆動回路をさらに有する、ことを特徴とする請求項４に記載の空気調和機。
【請求項７】
前記室外機は、温度検出部を有し、
前記空気調和機が異常状態の場合に、前記発光素子回路は、前記温度検出部による検知温度が所定温度以上の場合は、前記検知温度が前記所定温度より低い場合に比べて、前記発光素子に流す電流を小さくする、ことを特徴とする請求項１〜請求項６のいずれか１項に記載の空気調和機。
【発明の詳細な説明】
【技術分野】
【０００１】
本発明は、室外機を備えた空気調和機に関する。
【背景技術】
【０００２】
従来の空気調和機は特許文献１に開示されている。この空気調和機は、除湿機であり、センサで測定された湿度や温度などの情報を表示するための液晶表示パネルと、当該液晶表示パネルを後方から照らすためのバックライトを有する。当該バックライトは、赤色ＬＥＤ（発光ダイオード）と緑色ＬＥＤを光源とする。当該ＬＥＤは、制御回路により制御される。
【０００３】
そして、上記空気調和機では、湿度センサまたは温度センサからの入力信号が異常の場合は、ＬＥＤを制御することでバックライトを高輝度の赤色で発光させ、上記センサからの入力信号が正常の場合は、センサの検出結果に応じた色を低輝度でバックライトを発光させる。
【先行技術文献】
【特許文献】
【０００４】
【特許文献１】特開２００２−８１７２６号公報（第４図、第５図等）
【発明の概要】
【発明が解決しようとする課題】
【０００５】
ここで、空気調和機には室内機と室外機を備えるタイプ（セパレート型）のものがあり、このような空気調和機において異常が発生した場合に、メンテナンスを行うサービスマンは室外機に設けられるＬＥＤの発光態様を確認することにより故障確認を行い、修正を行う。
【０００６】
上記特許文献１の空気調和機では、異常時には正常時よりも高輝度でバックライトを発光させるが、上記特許文献１は、室内に配置する単体の除湿器としての空気調和機に関するものであり、室内機と室外機を有する空気調和機に関するものではない。また、上記のようにバックライトの輝度を制御する目的は、液晶表示パネルの表示が見えないほどの遠距離や視野角から外れた斜めの位置でも使用者に対して容易且つ迅速に除湿機の異常を知らせることであり、サービスマンによる故障確認を行い易くすることではない。
【０００７】
上記状況に鑑み、本発明は、室外でのサービスマンによる故障確認を行い易い空気調和機を提供することを目的とする。
【課題を解決するための手段】
【０００８】
本発明の空気調和機は、室外機を備えた空気調和機であって、
前記室外機の筐体内に発光素子を含んだ発光素子回路を有し、
前記発光素子回路は、前記空気調和機が異常状態の場合、前記空気調和機が正常状態の場合に比べて大きい電流を前記発光素子に流す構成であり、
前記筐体には、前記発光素子の光を視認可能な位置に隙間が設けられている構成としている。
【０００９】
また、上記構成において、前記室外機は、前記発光素子回路を制御する制御部をさらに有し、前記制御部は、出力ポートから前記発光素子回路に出力する出力信号のデューティを変更することで、前記発光素子に流す電流を可変とすることとしてもよい。
【００１０】
また、上記構成において、前記室外機は、前記発光素子回路を制御する制御部をさらに有し、前記発光素子回路は、前記発光素子を流れる複数の電流の経路を変更するトランジスタを有し、前記制御部は、出力ポートから出力する出力信号によって前記トランジスタを制御し、前記発光素子を流れる電流の経路を変更することとしてもよい。
【００１１】
また、上記構成において、前記空気調和機は、室内機と前記室外機の間で通信を行う通信回路をさらに有し、前記発光素子回路は、前記室外機の前記通信回路に設けられ、前記空気調和機が正常状態の場合、前記発光素子は、前記通信回路の動作によって流れる電流により駆動されることとしてもよい。
【００１２】
また、上記構成において、前記発光素子は、第１発光素子と第２発光素子であって、前記通信回路の動作によって前記第１発光素子が駆動され、前記発光素子回路は、前記空気調和機が異常状態の場合に前記第２発光素子に電流を流す異常時用発光素子回路をさらに有し、前記異常時用発光素子回路は、前記空気調和機が正常状態の場合、前記第２発光素子に電流を流さないこととしてもよい。
【００１３】
また、上記構成において、前記発光素子回路は、前記空気調和機が正常状態の場合に無効となり、前記空気調和機が異常状態の場合に有効となって前記発光素子を駆動する異常時用発光素子駆動回路をさらに有することとしてもよい。
【００１４】
また、上記構成において、前記室外機は、温度検出部を有し、前記空気調和機が異常状態の場合に、前記発光素子回路は、前記温度検出部による検知温度が所定温度以上の場合は、前記検知温度が前記所定温度より低い場合に比べて、前記発光素子に流す電流を小さくすることとしてもよい。
【発明の効果】
【００１５】
本発明によると、空気調和機が異常状態の場合、正常状態の場合に比べて発光素子が明るく発光するので、室外においてサービスマンが故障確認を行い易くなる。
【図面の簡単な説明】
【００１６】
【図１】本発明の第１実施形態に係る空気調和機の斜視図である。
【図２】空気調和機の冷凍サイクルの一例を示す図である。
【図３】空気調和機の一構成例を示すブロック図である。
【図４】第１実施形態に係る発光素子（ＬＥＤ）回路の構成を示す回路図である。
【図５】第１実施形態において制御部（マイコン）が出力ポートから出力させる出力信号の一例を示すタイミングチャートである。
【図６】発光素子（ＬＥＤ）の点滅制御の一例を示す図である。
【図７】第２実施形態に係る発光素子（ＬＥＤ）回路の構成を示す回路図である。
【図８】第２実施形態において制御部（マイコン）が出力ポートから出力させる出力信号の一例を示すタイミングチャートである。
【図９】第３実施形態に係る発光素子（ＬＥＤ）回路の構成を示す回路図である。
【図１０】第４実施形態に係る発光素子（ＬＥＤ）制御に関するフローチャートである。
【図１１】第５実施形態に係る空気調和機の構成を示すブロック図である。
【図１２】図１１の構成をより具体的に示した図である。
【図１３】第６実施形態に係る空気調和機の構成を示すブロック図である。
【図１４】図１３の構成をより具体的に示した図である。
【発明を実施するための形態】
【００１７】
以下に本発明の一実施形態について図面を参照して説明する。
【００１８】
＜１．第１実施形態＞
＜１−１．空気調和機の全体構成＞
図１は、本発明の第１実施形態に係る空気調和機１の斜視図である。空気調和機１は、室内機１０、室外機２０、および接続部９０を備える。室内機１０は居室内の側壁面Ｗに設置され、屋外に設置された室外機２０に接続部９０により接続される。室内機１０はリモートコントローラ（不図示）の操作により運転開始や運転停止等が指示される。
【００１９】
室内機１０はオープンパネル３を前面に配した筐体２により外面を覆われる。オープンパネル３は上端で枢支され、筐体２の前面を開閉可能に配される。筐体２の側面からは電源コード６が導出される。電源コード６を側壁面Ｗに設けた電源コンセントＣに接続することで室内機１０に商用電源が接続され、室内機１０および室外機２０に電力が供給される。なお、室外機２０と商用電源とを接続して室外機２０および室内機１０に電力を供給してもよい。
【００２０】
筐体２の上面には吸込口４が左右方向に延びて開口し、筐体２の前面下部には吹出口５が左右方向に延びて開口する。吹出口５の近傍には吹出口５から送出される空気の風向を上下方向に可変する横風向板７が配される。吹出口５は、空気調和機１の運転停止時に横風向板７によって閉じられ、運転時に横風向板７によって開かれる。筐体２の内部には吸込口４と吹出口５とを連結する空気通路（不図示）が設けられる。空気通路内には空気を送出する送風機（不図示）が配される。送風機の駆動によって吸込口４から居室内の空気が空気通路に流入し、吹出口５から送出される。送風機としてクロスフローファンが好適に用いられる。また、上記空気通路に含まれる吹出通路の下壁部には、縦風向板（不図示）が、筐体２の左右方向に複数立設されて配置される。縦風向板は、左右方向に回転可能に構成され、吹出口５から送出される空気の風向を左右方向に可変とする。
【００２１】
室外機２０は、筐体２１と、送風機２２と、電装部２３を有する。送風機２２は、筐体２１内部に収容され、筐体内部２１に同じく収容される室外熱交換器（不図示）に空気を供給する目的で用いられる。電装部２３は、電装箱２３１と、電装蓋２３２と、電装品２３３を有する。電装箱２３１は、筐体２１内部に収容され、筐体２１の一側面において開口する。筐体２１はこの開口に略一致する位置に隙間を有する。電装蓋２３２によって筐体２１の隙間を閉じることで、電装箱２３１の上記開口も閉じられる。電装箱２３１と電装蓋２３２によって構成される内部空間に電装品２３３が収容される。電装品２３３は、端子板、制御部の一例であるマイコン（マイクロコントローラ）、発光素子の一例であるＬＥＤ（いずれも不図示）等から構成される。なお、本発明の各実施の形態においては、発光素子として、ＬＥＤを用いて説明するが、発光素子は、ランプや電球など他のものであってもよい。また、電装箱２３１の設置位置は、室外機を正面側（排気口）から見た場合に、室外機の天面右側にあってもよい。この場合、サービスマンは、室外機の天面を開くことで、電装品２３３のメンテナンスを行うことができる。
【００２２】
電装品２３３に含まれる端子板には、室内機１０と室外機２０間での電力伝送および通信のための配線部（不図示）の一端が接続される。接続部９０は、上記配線部と、室内機１０と室外機２０間で配置される冷媒管（不図示）をカバーで覆うことで構成される。
【００２３】
＜１−２．空気調和機における冷凍サイクルの構成＞
図２は、空気調和機１の冷凍サイクルを示す図である。室内機１０の空気通路内の吸込口４と送風機との間には室内熱交換器１０Ａが配される。室内熱交換器１０Ａは、室外機２０に設けられた圧縮機２０Ａに接続され、空気通路を流通する空気と熱交換を行う。
【００２４】
室外機２０には、圧縮機２０Ａ、室外熱交換器２０Ｂ、四方弁２０Ｃおよび膨張弁２０Ｄが設けられる。圧縮機２０Ａは、内蔵されたモータ（不図示）により駆動され、冷凍サイクルを運転する。室外熱交換器２０Ｂは、送風機２２によって空気が流通する流通路に配置され、屋外の空気と熱交換を行う。四方弁２０Ｃは、冷媒の流れを切り替える。膨張弁２０Ｄは、冷媒を減圧膨張させる。圧縮機２０Ａ、四方弁２０Ｃ、室内熱交換器１０Ａ、膨張弁２０Ｄおよび室外熱交換器２０Ｂは、冷媒管６０により接続される。
【００２５】
圧縮機２０Ａまたは圧縮機２０Ａの吐出側の近傍の冷媒管６０には温度センサ２０Ｅが設けられる。温度センサ２０Ｅは、圧縮機２０Ａの吐出側の温度を検知する。
【００２６】
図２中、矢印Ａは、空気調和機１の暖房運転時の冷媒の流れを示している。暖房運転時に、四方弁２０Ｃ内の流路は実線位置に切り替わる。圧縮機２０Ａから吐出された高温高圧の気体状態の冷媒は、四方弁２０Ｃを経て室内熱交換器１０Ａに流入する。この時、室内熱交換器１０Ａは凝縮器として機能し、冷媒は居室内の空気に熱を放熱することで凝縮する。これにより、空気調和機１の暖房運転時に吹出口５から暖気が居室内に送出される。室内熱交換器１０Ａを流通した冷媒は、膨張弁２０Ｄを経て室外熱交換器２０Ｂに流入する。
【００２７】
膨張弁２０Ｄは、冷媒を減圧膨張させて冷媒の沸点を下げる。この時、室外熱交換器２０Ｂは蒸発器として機能し、膨張弁２０Ｄを通過して沸点が下がった液冷媒は室外熱交換器２０Ｂにおいて屋外の空気から熱を奪って蒸発する。その後、冷媒は四方弁２０Ｃを通過して圧縮機２０Ａに流入する。
【００２８】
図２中、矢印Ｂは空気調和機１の冷房運転時の冷媒の流れを示している。冷房運転時に、四方弁２０Ｃ内の流路は破線位置に切り替わる。圧縮機２０Ａから吐出された高温高圧の気体状態の冷媒は、四方弁２０Ｃを経て室外熱交換器２０Ｂに流入する。このとき、室外熱交換器２０Ｂは凝縮器として機能し、冷媒は屋外の空気に熱を放熱することで凝縮する。室外熱交換器２０Ｂを流通した冷媒は膨張弁２０Ｄを通過して室内熱交換器１０Ａに流入する。
【００２９】
このとき、室内熱交換器１０Ａは蒸発器として機能し、膨張弁２０Ｄを通過して沸点の下がった液冷媒は、室内熱交換器１０Ａにおいて居室内の空気から熱を奪って蒸発する。これにより、空気調和機１の冷房運転時に吹出口５から冷気が居室内に送出される。その後、冷媒は四方弁２０Ｃを通過して圧縮機２０Ａに流入する。
【００３０】
＜１−３．空気調和機の電気的構成＞
図３は、空気調和機１の構成を示すブロック図である。室内機１０および室外機２０は、各部を制御するマイコン１００、２００をそれぞれ有する。室内機１０のマイコン１００と室外機２０のマイコン２００とは、相互に通信可能であるように通信回路を有する。この通信は、例えばシリアル通信回路により、シリアル通信によって行われる。
【００３１】
マイコン１００には、人感センサ１０１、温度センサ１０２、湿度センサ１０３、赤外線受光部１０４、報知部１０５、送風機１０６、横風向板駆動部１０７、および縦風向板駆動部１０８が接続される。
【００３２】
人感センサ１０１は、例えば赤外線センサから構成され、居室内の人体を検知する。温度センサ１０２は、居室内の温度を検知する。湿度センサ１０３は、居室内の湿度（相対湿度）を検知する。
【００３３】
赤外線受光部１０４は、リモートコントローラ（不図示）から出射された赤外線を受光する。マイコン１００は、人感センサ１０１、温度センサ１０２、および湿度センサ１０３のそれぞれから受ける検知信号や赤外線受光部１０４から受ける信号に基づいて制御を行う。
【００３４】
報知部１０５は、スピーカから構成され、音声を出力する。送風機１０６は、インペラ（羽根車）と、当該インペラを回転駆動するモータ等を有する。マイコン１００は、送風機１０６のモータを駆動するための制御信号を送風機１０６に出力する。送風機１０６のインペラの回転によって生じた気流により、室内熱交換器１０Ａに居室内の空気が供給される。
【００３５】
横風向板駆動部１０７は、モータ等を有し、マイコン１００からの指令に基づき横風向板７を駆動する。縦風向板駆動部１０８は、モータ等を有し、マイコン１００からの指令に基づき縦風向板（不図示）を駆動する。
【００３６】
室外機２０のマイコン２００には、圧縮機２０Ｂ、送風機２２、温度センサ２０Ｅ、およびＬＥＤ回路２０２が接続される。
【００３７】
圧縮機２０Ｂは、モータ等を有し、当該モータはマイコン２００からの指令に基づき回転制御される。送風機２２は、インペラと、当該インペラを回転駆動するモータ等を有する。マイコン２００は、送風機２２のモータを駆動するための制御信号を送風機２２に出力する。送風機２２のインペラの回転によって生じた気流により、室外熱交換器２０Ｂに屋外の空気が供給される。
【００３８】
ＬＥＤ回路２０２は、ＬＥＤ等を有し、当該ＬＥＤを駆動して発光させる回路であり、マイコン２００により制御される。ＬＥＤ回路２０２は、ＬＥＤの発光により室外機２０の外部に対して空気調和機１の正常／異常状態を報知する機能を有し、その構成の詳細については後述する。
【００３９】
＜１−４．ＬＥＤ回路について＞
図４は、ＬＥＤ回路２０２の構成を示す回路図である。ＬＥＤ回路２０２は、ＬＥＤ２０２Ａと、抵抗２０２Ｂを有する。ＬＥＤ２０２Ａのアノードには、所定電圧Ｖａが印加される。ＬＥＤ２０２Ａのカソードは、抵抗２０２Ｂの一端に接続される。抵抗２０２Ｂの他端は、マイコン２００の出力ポート２００Ａに接続される。
【００４０】
マイコン２００が出力ポート２００Ａから出力させる出力信号の一例を示すタイミングチャートを図５に示す。図５において、縦軸は出力信号のレベルを示し、横軸は時間軸を示す。また、図５において、上段は空気調和機１が正常状態である場合の出力信号を示し、下段は空気調和機１が異常状態である場合の出力信号を示す。また、信号の周波数は、２００Ｈｚ以上とする。
【００４１】
図５は、所定電圧Ｖａを一例として５Ｖとした場合の図である。マイコン２００は、出力信号をＯＮを示す０Ｖとすることで、ＬＥＤ２０２Ａに順方向電圧Ｖｆを印加し、ＬＥＤ２０２Ａを点灯させる。一方、マイコン２００は、出力信号をＯＦＦを示す５Ｖとすることで、ＬＥＤ２０２Ａに印加する電圧を０Ｖとする。ＬＥＤ２０２Ａに流れる電流は点線で示すようになり、人間の目では、周波数２００Ｈｚ以上では一定の暗さで光っているように見える。  
【００４２】
図５の上段では、出力信号のＯＮデューティは１０％である。ＬＥＤ２０２Ａの順方向電圧Ｖｆ＝１．５Ｖ、抵抗２０２Ｂの抵抗値を２７０Ωとした場合、ＯＮデューティが１０％であると、ＬＥＤ２０２Ａに流れる電流Ｉｌｅｄは、（５Ｖ−１．５Ｖ）×１０％／２７０Ω＝１．３ｍＡとなる。
【００４３】
一方、図５の下段では、出力信号のＯＮデューティは１００％である。この場合、上記と同様の条件では、電流Ｉｌｅｄは、（５Ｖ−１．５Ｖ）×１００％／２７０Ω＝１３ｍＡとなる。
【００４４】
電流Ｉｌｅｄが大きいほど、ＬＥＤ２０２Ａは明るく発光する。従って、空気調和機１が正常状態の場合に比べて異常状態の場合に電流Ｉｌｅｄは大きくなり、ＬＥＤ２０２Ａは明るく発光する。
【００４５】
また、実際には、マイコン２００は、図６に一例を示すような点滅制御によりＬＥＤ２０２Ａを駆動させる。図６において上段は空気調和機１が正常状態の場合、例えば２秒周期の点滅制御を示し、下段は空気調和機１が異常状態の場合、例えば０．２秒周期で複数回の点滅制御を示す。
【００４６】
図６の上段において、点灯期間Ｔａ１は図５の上段に示すＯＮデューティ１０％での駆動期間を示し、消灯期間Ｔｂ１は出力信号をＯＦＦを示す５Ｖとして維持する期間を示す。すなわち、消灯期間Ｔｂ１では、ＬＥＤ２０２Ａは発光しない。また、図６の上段において、点灯期間Ｔａ１は１秒、消灯期間Ｔｂ１は１秒とする。
【００４７】
一方、図６の下段において、点灯期間Ｔａ２は図５の下段に示すＯＮデューティ１００％での駆動期間を示し、消灯期間Ｔｂ２は出力信号をＯＦＦを示す５Ｖとして維持する期間を示す。すなわち、消灯期間Ｔｂ２では、ＬＥＤ２０２Ａは発光しない。また、図６の下段において、点灯期間Ｔａ２は０．１秒で消灯期間Ｔｂ２は０．１秒で、点滅期間Ｔｃ２において３回点滅する。
【００４８】
従って、空気調和機１が正常状態の場合に比べて空気調和機１が異常状態の場合、ＬＥＤ２０２Ａは明るく且つ速い点滅速度で発光する。ここで、マイコン２００およびＬＥＤ回路２０２は、電装品２３３（図１）に含まれる。空気調和機１に異常が生じた場合、ＬＥＤ２０２Ａは上記のように明るく発光するので、電装蓋２３２を室外機２０から外した状態でＬＥＤ２０２Ａから出射された光は室外機２０の外部に漏れ出る。従って、メンテナンスを行うサービスマンは、室外機２０の電装蓋２３２を外すだけで、ＬＥＤ２０２Ａの発光状態を確認（視認）し、故障確認を行うことができる。すなわち、サービスマンは故障確認を行うために室外機を分解する必要がなくなる。なお、ここでいう「ＬＥＤ２０２Ａの発光状態を確認（視認）」とは、ＬＥＤ２０２Ａが直接見える場合だけに限定されず、電装箱２３１に反射したＬＥＤ２０２Ａの光を確認するものであってもよい。
【００４９】
特に、上記正常点滅間の速い点滅の回数を空気調和機１の異常状態の種別に応じて可変にしておけば、サービスマンはＬＥＤ２０２Ａの発光状態により、故障の原因箇所を特定することが可能となる。
【００５０】
また、空気調和機１が正常状態では、ＬＥＤ２０２Ａに流れる電流は小さく、ＬＥＤ２０２Ａは暗く発光するので、消費電力の低減を図ることが可能となる。すなわち、本実施形態に係る空気調和機１によれば、室外でのサービスマンによる故障確認を行い易くし、且つ消費電力の低減を図ることができる。
【００５１】
なお、空気調和機１が異常状態の場合にＬＥＤ２０２Ａに流れる電流は、ＬＥＤ２０２Ａの最大許容電流であることが発光状態を確認し易くなり望ましいが、最大許容電流より小さくてもよい。また、図４に示す本実施形態に係る構成は、ＬＥＤ２０２Ａに流れる電流、すなわち、マイコン２００の出力ポート２００Ａに流れ込む電流がマイコン２００内部の許容電流以下である場合に採用が可能である。
【００５２】
また、先述した空気調和機１が正常／異常状態の場合にそれぞれＬＥＤに流す電流（１．３ｍＡ、１３ｍＡ）を実現するためには、例えば抵抗２０２Ｂの抵抗値を１３５Ωとし、正常状態のＯＮデューティを５％、異常状態のＯＮデューティを５０％とするなど、抵抗値とＯＮデューティの組み合わせを変更することが可能である。
【００５３】
＜２．第２実施形態＞
次に、本発明の第２実施形態について説明する。第２実施形態の先述した第１実施形態との相違点は、室外機に備えられるＬＥＤ回路の構成である。図７は、第２実施形態に係るＬＥＤ回路２０２１の構成を示す回路図である。
【００５４】
ＬＥＤ回路２０２１は、ＬＥＤ２０２１Ａと、抵抗２０２１Ｂと、トランジスタ２０２１Ｃを有する。バイポーラトランジスタとして構成されるトランジスタ２０２１Ｃは、ｎｐｎトランジスタである。
【００５５】
ＬＥＤ２０２１Ａのアノードには、所定電圧Ｖａが印加される。ＬＥＤ２０２１Ａのカソードには、抵抗２０２１Ｂの一端が接続される。抵抗２０２１Ｂの他端は、トランジスタ２０２１Ｃのコレクタに接続される。トランジスタ２０２１Ｃのエミッタは、接地端に接続される。マイコン２００の出力ポート２００Ａは、トランジスタ２０２１Ｃのベースに接続される。
【００５６】
図７に示す構成において、マイコン２００が出力ポート２００Ａから出力させる出力信号の一例を示すタイミングチャートを図８に示す。図８において上段は、空気調和機１が正常状態の場合を示し、下段は空気調和機１が異常状態の場合を示す。図８の縦軸は出力信号のレベルを示し、横軸は時間軸を示す。
【００５７】
図８に示すように出力信号がＯＮを示す５Ｖとされた場合、トランジスタ２０２１ＣがＯＮとなるので、ＬＥＤ２０２１Ａに順方向電圧Ｖｆが印加され、ＬＥＤ２０２１Ａは発光する。一方、出力信号がＯＦＦを示す０Ｖとされた場合、トランジスタ２０２１Ｃがオフとなる。電流波形は点線のようになり、ＬＥＤ２０２１Ｃは暗く光る。
【００５８】
図８の上段では、出力信号のＯＮデューティは１０％である。所定電圧Ｖａ＝５Ｖ、ＬＥＤ２０２１Ａの順方向電圧Ｖｆ＝１．５Ｖ、抵抗２０２１Ｂの抵抗値を２７０Ωとした場合、ＯＮデューティが１０％であると、ＬＥＤ２０２１Ａに流れる電流Ｉｌｅｄは、（５Ｖ−１．５Ｖ）×１０％／２７０Ω＝１．３ｍＡとなる。ここで、トランジスタ２０２１ＣのVce（コレクタ−エミッタ間電圧）は、小さいため、無視している。
【００５９】
一方、図８の下段では、出力信号のＯＮデューティは１００％である。この場合、上記と同様の条件では、電流Ｉｌｅｄは、（５Ｖ−１．５Ｖ）×１００％／２７０Ω＝１３ｍＡとなる。ここで、トランジスタ２０２１ＣのVceは、小さいため、無視している。
【００６０】
電流Ｉｌｅｄが大きいほど、ＬＥＤ２０２１Ａは明るく発光する。従って、空気調和機１が正常状態の場合に比べて異常状態の場合に電流Ｉｌｅｄは大きくなり、ＬＥＤ２０２１Ａは明るく発光する。
【００６１】
これにより、第１実施形態と同様に、空気調和機１が異常状態の場合に、サービスマンは、ＬＥＤ２０２１Ａの発光状態を確認し易くなり、故障確認を行うことができる。また、空気調和機１が正常状態の場合、ＬＥＤ２０２１Ａに流す電流を小さくするので、消費電力の低減を図ることができる。
【００６２】
特に本実施形態では、図７に示す構成とすることにより、ＬＥＤ２０２１Ａに流れる電流はマイコン２００の出力ポート２００Ａには流れ込まないので、ＬＥＤ２０２１Ａに流す電流がマイコン２００内部の許容電流を超えてもよい。
【００６３】
＜３．第３実施形態＞
次に、本発明の第３実施形態について説明する。第３実施形態の先述した第１実施形態との相違点は、ＬＥＤ回路とマイコンの構成である。図９は、第３実施形態に係るＬＥＤ回路２０２２の構成を示す回路図である。
【００６４】
ＬＥＤ回路２０２２は、ＬＥＤ２０２２Ａと、第１抵抗２０２２Ｂと、トランジスタ２０２２Ｃと、第２抵抗２０２２Ｄを有する。マイコン２００１は、第１出力ポート２００１Ａと第２出力ポート２００１Ｂを有する。
【００６５】
ＬＥＤ２０２２Ａのアノードには、所定電圧Ｖａが印加される。ＬＥＤ２０２２Ａのカソードは、第１抵抗２０２２Ｂの一端に接続される。第１抵抗２０２２Ｂの他端は、マイコン２００１の第１出力ポート２００１Ａに接続される。ＬＥＤ２０２２Ａのカソードと第１抵抗２０２２Ｂの一端とが接続されるノードは、トランジスタ２０２２Ｃのコレクタに接続される。トランジスタ２０２２Ｃのエミッタは、第２抵抗２０２２Ｄの一端に接続される。第２抵抗２０２２Ｄの他端は、接地端に接続される。トランジスタ２０２２Ｃのベースは、マイコン２００１の第２出力ポート２００１Ｂに接続される。
【００６６】
ここで、一例として、所定電圧Ｖａ＝５Ｖ、ＬＥＤ２０２２Ａの順方向電圧Ｖｆ＝１．５Ｖ、第１抵抗２０２２Ｂの抵抗値を２．７ｋΩ、第２抵抗２０２２Ｄの抵抗値を２７０Ωとする。この条件の場合に、空気調和機１が正常状態の場合に、マイコン２００１は、第１出力ポート２００１Ａから出力する出力信号をＯＮを示す０Ｖとし、第２出力ポート２００１Ｂから出力する出力信号をＯＦＦを示す０Ｖとする。すると、トランジスタ２０２２Ｃはオフとなり、ＬＥＤ２０２２Ａには順方向電圧Ｖｆが印加される。これにより、ＬＥＤ２０２２Ａに流れる電流Ｉｌｅｄは、（５Ｖ−１．５Ｖ）／２．７ｋΩ＝１．３ｍＡとなる。ここで、トランジスタ２０２２ＣのVceは、小さいため、無視している。
【００６７】
一方、空気調和機１が異常状態の場合に、マイコン２００１は、第１出力ポート２００１Ａから出力する出力信号をＯＦＦを示す５Ｖとし、第２出力ポート２００１Ｂから出力する出力信号をＯＮを示す５Ｖとする。すると、トランジスタ２０２２Ｃはオンとなり、ＬＥＤ２０２２Ａには順方向電圧Ｖｆが印加される。これにより、ＬＥＤ２０２２Ａに流れる電流Ｉｌｅｄは、（５Ｖ−１．５Ｖ）／２７０Ω＝１３ｍＡとなる。ここで、トランジスタ２０２２ＣのVceは、小さいため、無視している。
【００６８】
電流Ｉｌｅｄが大きいほど、ＬＥＤ２０２２Ａは明るく発光する。従って、空気調和機１が正常状態の場合に比べて異常状態の場合に電流Ｉｌｅｄは大きくなり、ＬＥＤ２０２２Ａは明るく発光する。
【００６９】
これにより、第１実施形態と同様に、空気調和機１が異常状態の場合に、サービスマンは、ＬＥＤ２０２２Ａの発光状態を確認し易くなり、故障確認を行うことができる。また、空気調和機１が正常状態の場合、ＬＥＤ２０２２Ａに流す電流を小さくするので、消費電力の低減を図ることができる。
【００７０】
＜４．第４実施形態＞
次に、本発明の第４実施形態について説明する。本実施形態は、先述した第１〜第３実施形態に係る構成のＬＥＤ回路およびマイコンの一動作例に関する。図１０は、第４実施形態に係るマイコンが行う処理に関するフローチャートである。ここで、第１〜第３実施形態に係る構成のいずれにおいても、室外機２０の電装品２３３に温度センサ（サーミスタ）が設けられるとする。当該温度センサは、温度検出部に相当する。
【００７１】
まず、第１実施形態に係るマイコン２００およびＬＥＤ回路２０２（図４）を用いた場合について図１０のフローチャートに沿って説明する。図１０のフローチャートが開始され、まずステップＳ１で、マイコン２００は、空気調和機１が異常状態であるか否かを判定し、もし異常である場合は（ステップＳ１のＹ）、ステップＳ２に進む。
【００７２】
ステップＳ２で、マイコン２００は、温度センサにより検知された温度が所定温度よりも低いか否かを判定する。ここで、上記所定温度は、例えば３０℃とする。もし、検知温度が所定温度よりも低い場合は（ステップＳ２のＹ）、ステップＳ４に進み、マイコン２００は、ＬＥＤ２０２Ａを大きな電流で、且つ速い点滅速度にて駆動するよう出力ポート２００Ａから出力信号を出力する。一方、検知温度が所定温度以上である場合は（ステップＳ２のＮ）、ステップＳ５に進み、マイコン２００は、ＬＥＤ２０２Ａを小さな電流で、且つ速い点滅速度にて駆動するよう出力ポート２００Ａから出力信号を出力する。
【００７３】
具体的には、例えば、ステップＳ４では、先述した図５の下段に示すようにＯＮデューティを１００％として図６の下段に示す点灯期間Ｔａ２でＬＥＤ２０２Ａを発光させる。一方、ステップＳ５では、図５の上段に示すようにＯＮデューティを１０％として図６の下段に示す点灯期間Ｔａ２でＬＥＤ２０２Ａを発光させる。これにより、空気調和機１が異常状態の場合に、検知温度が所定温度以上の場合は、そうでない場合に比べてＬＥＤ２０２Ａに流す電流を小さくする。温度が高いときにＬＥＤに大きな電流を流すと、ＬＥＤのジャンクション温度が高くなり、ＬＥＤの寿命が短くなるので、ＬＥＤに大きな電流を流さないようにして寿命を長くすることができる。
【００７４】
また、ステップＳ１で、空気調和機１が正常状態である場合は（ステップＳ１のＮ）、ステップＳ３に進み、マイコン２００は、ＬＥＤ２０２Ａを小さな電流で、且つ遅い点滅速度にて駆動するよう出力ポート２００Ａから出力信号を出力する。例えば、図５の上段に示すようにＯＮデューティを１０％として図６の上段に示す点灯期間Ｔａ１でＬＥＤ２０２Ａを発光させる。ステップＳ３の後は、ステップＳ１に戻る。
【００７５】
先述した第２実施形態に係る構成を用いる場合は、図７に示すマイコン２００とＬＥＤ回路２０２１から成る構成において、マイコン２００が図１０に示す処理を行う。この場合、図８の上段、下段に示したＯＮデューティと図６の上段、下段に示す点滅動作を切替える。
【００７６】
先述した第３実施形態に係る構成を用いる場合は、図９に示すマイコン２００１とＬＥＤ回路２０２２から成る構成において、マイコン２００１が図１０に示す処理を行う。この場合、マイコン２００１は、ステップＳ４で、第１出力ポート２００１Ａから出力する出力信号をＯＦＦとし、第２出力ポート２００１Ｂから出力する出力信号をＯＮとして、ＬＥＤ２０２２Ａに流す電流を大きくする。一方、マイコン２００１は、ステップＳ３、Ｓ５では、第１出力ポート２００１Ａから出力する出力信号をＯＮとし、第２出力ポート２００１Ｂから出力する出力信号をＯＦＦとして、ＬＥＤ２０２２Ａに流す電流を小さくする。
【００７７】
＜５．第５実施形態＞
次に、本発明の第５実施形態について説明する。図１１は、第５実施形態に係る空気調和機１の構成を示すブロック図である。図１１は、室内機１０のマイコン１００と室外機２０のマイコン２００の間の電源接続および通信接続に関する構成を主に示す。
【００７８】
本実施形態に係る空気調和機１の構成は、先述した第１実施形態での図１〜図３に示した構成と基本的に同様の構成である。すなわち、図１１に示す室内機１０のマイコン１００には、図３に示すように人感センサ１０１〜縦風向板駆動部１０８が接続される。図１１に示す室外機２０のマイコン２００には、図３に示すように圧縮機２０Ｂ、送風機２２、および温度センサ２０Ｅが接続される。但し、本実施形態のマイコン２００では、図３に示すＬＥＤ回路２０２は接続されず、代わりに図１１に示すように異常時用ＬＥＤ回路２０５が接続される。また、図３に示すマイコン１００とマイコン２００との間の通信は、図１１に示すシリアル通信回路１１１とシリアル通信回路２０４により行われる。
【００７９】
図１１に示す構成についてより詳細に説明すると、室内機１０は、マイコン１００と、端子板１１０と、シリアル通信回路１１１を有する。室外機２０は、マイコン２００と、端子板２０３と、シリアル通信回路２０４と、異常時用ＬＥＤ回路２０５を有する。マイコン２００と、端子板２０３と、シリアル通信回路２０４と、異常時用ＬＥＤ回路２０５は、電装品２３３（図１）に含まれる。
【００８０】
端子板１１０は、第１端子Ｔ１と、第２端子Ｔ２と、第３端子Ｔ３を含む。第１端子Ｔ１と第２端子Ｔ２には、室内機１０外部の電源プラグＰが接続される。電源プラグＰが電源コンセントＣ（図１）に接続されることで、電源プラグＰから商用電源（交流電源）が供給される。シリアル通信回路１１１は、第２端子Ｔ２と、第３端子Ｔ３と、マイコン１００の入力ポート１００Ａおよび出力ポート１００Ｂに接続される。
【００８１】
なお、室内機１０は、第１端子Ｔ１と第２端子Ｔ２の間に生じる交流電圧を入力とする不図示の電源回路を備え、当該電源回路によって、マイコン１００、シリアル通信回路１１１等の電源が生成される。
【００８２】
第２端子板２０３は、第４端子Ｔ４と、第５端子Ｔ５と、第６端子Ｔ６を含む。第１端子Ｔ１と第４端子Ｔ４は、第１配線部Ｌ１により接続される。第２端子Ｔ２と第５端子Ｔ５は、第２配線部Ｌ２により接続される。第３端子Ｔ３と第６端子Ｔ６は、第３配線部Ｌ３により接続される。第１配線部Ｌ１〜第３配線部Ｌ３は、室内機１０と室外機２０の間を引き回され、接続部９０（図１）に含まれる。
【００８３】
室外機２０の内部側において、第４端子Ｔ４、第５端子Ｔ５にそれぞれ接続される配線が設けられる。シリアル通信回路２０４は、第５端子Ｔ５と、第６端子Ｔ６と、マイコン２００の入力ポート２００Ｂおよび第１出力ポート２００Ｃに接続される。マイコン１００とマイコン２００は、シリアル通信回路１１１とシリアル通信回路２０４を介して通信を行う。また、シリアル通信回路２０４は、後述するように第１ＬＥＤ２０４Ａを有する。
【００８４】
また、第２ＬＥＤ２０５Ａを有する異常時用ＬＥＤ回路２０５は、マイコン２００の第２出力ポート２００Ｄに接続される。ここで、シリアル通信回路１１１、第２出力端子Ｔ２、第３出力端子Ｔ３、第５出力端子Ｔ５、第６出力端子Ｔ６、シリアル通信回路２０４、および異常時用ＬＥＤ回路２０５からＬＥＤ回路ＬＣ１が構成される。すなわち、ＬＥＤ回路は、室外機２０のシリアル通信回路２０４に設けられる。ＬＥＤ回路ＬＣ１は、第１ＬＥＤ２０４Ａおよび第２ＬＥＤ２０５Ａを駆動する回路であり、空気調和機１に備えられる。
【００８５】
なお、室外機２０は、第４端子Ｔ４と第５端子Ｔ５の間に生じる交流電圧を入力とする不図示の電源回路を備え、当該電源回路によって、マイコン２００、シリアル通信回路２０４、異常時用ＬＥＤ回路２０５等の電源が生成される。
【００８６】
なお、電源プラグＰを第４端子Ｔ４と第５端子Ｔ５に接続し、商用電源を室外機２０側から室内機１０へ供給するようにしてもよい。
【００８７】
シリアル通信回路１１１、シリアル通信回路２０４、および異常時用ＬＥＤ回路２０５の構成をより具体的に示した図１１に対応する図を図１２に示す。図１２に示すように、シリアル通信回路１１１は、フォトカプラ１１１Ａと、フォトカプラ１１１Ｂと、抵抗Ｒ１〜Ｒ３と、ダイオードＤ１を有する。
【００８８】
フォトカプラ１１１Ａのフォトトランジスタの入力端には、所定の電源電圧Ｖ１が印加される。フォトカプラ１１１Ａのフォトトランジスタの出力端は、抵抗Ｒ１の一端とともにマイコン１００の入力ポート１００Ａに接続される。抵抗Ｒ１の他端はマイコン１００のGNDに接続される。
【００８９】
フォトカプラ１１１Ｂの発光ダイオードの入力端には、電源電圧Ｖ１が印加される。フォトカプラ１１１Ｂの発光ダイオードの出力端は、抵抗Ｒ２を介してマイコン１００の出力ポート１００Ｂに接続される。
【００９０】
フォトカプラ１１１Ａの発光ダイオードの入力端は、ダイオードＤ１のカソードに接続される。ダイオードＤ１のアノードは、抵抗Ｒ３を介して第３端子Ｔ３に接続される。フォトカプラ１１１Ａの発光ダイオードの出力端は、フォトカプラ１１１Ｂのフォトトランジスタの入力端に接続される。フォトカプラ１１１Ｂのフォトトランジスタの出力端は、所定のシリアル通信用電源Ｖｓの負極が接続される。シリアル通信用電源Ｖｓの正極は、第２端子Ｔ２に接続される。
【００９１】
また、シリアル通信回路２０４は、第１ＬＥＤ２０４Ａと、フォトカプラ２０４Ｂと、フォトカプラ２０４Ｃと、抵抗Ｒ４〜Ｒ６と、ダイオードＤ２を有する。ダイオードＤ２のアノードは、第５端子Ｔ５に接続される。ダイオードＤ２のカソードは、第１ＬＥＤ２０４Ａのアノードに接続される。第１ＬＥＤ２０４Ａのカソードは、フォトカプラ２０４Ｂの発光ダイオードの入力端に接続される。フォトカプラ２０４Ｂの発光ダイオードの出力端は、フォトカプラ２０４Ｃのフォトトランジスタの入力端に接続される。フォトカプラ２０４Ｃのフォトトランジスタの出力端は、抵抗Ｒ４を介して第６端子Ｔ６に接続される。
【００９２】
フォトカプラ２０４Ｂのフォトトランジスタの入力端には、所定の電源電圧Ｖ２が印加される。フォトカプラ２０４Ｂのフォトトランジスタの出力端は、抵抗Ｒ６の一端とともにマイコン２００の入力ポート２００Ｂに接続される。抵抗Ｒ６の他端はマイコン２００のGNDに接続される。フォトカプラ２０４Ｃの発光ダイオードの入力端には、電源電圧Ｖ２が印加される。フォトカプラ２０４Ｃの発光ダイオードの出力端は、抵抗Ｒ５を介してマイコン２００の第１出力ポート２００Ｃに接続される。
【００９３】
ここで、マイコン１００とマイコン２００との間でのシリアル通信動作について説明する。まず、マイコン１００からマイコン２００にシリアルデータを送信する場合の動作を説明する。
【００９４】
マイコン１００は、出力ポート１００Ｂから出力する出力信号のレベルを切替えることにより、フォトカプラ１１１ＢのフォトトランジスタのＯＮ／ＯＦＦを切替える。これにより、マイコン１００は、シリアルデータをシリアル通信回路１１１に出力する。マイコン２００は、フォトカプラ２０４Ｃのフォトトランジスタをオンとして、シリアル通信回路１１１からシリアルデータが出力されるのに備える。
【００９５】
フォトカプラ１１１ＢのフォトトランジスタがＯＮのときには、シリアル通信用電源Ｖｓの正極、第２端子Ｔ２、第５端子Ｔ５、ダイオードＤ２、第１ＬＥＤ２０４Ａ、フォトカプラ２０４Ｂの発光ダイオード、フォトカプラ２０４Ｃのフォトトランジスタ、抵抗Ｒ４、第６端子Ｔ６、第３端子Ｔ３、抵抗Ｒ３、ダイオードＤ１、フォトカプラ１１１Ａの発光ダイオード、フォトカプラ１１１Ｂのフォトトランジスタ、およびシリアル通信用電源Ｖｓの負極の順の経路で電流が流れる。
【００９６】
上記の電流が流れる経路が形成されることにより、マイコン１００の出力ポート１００Ｂから出力されたシリアルデータは、フォトカプラ２０４Ｂの発光ダイオードによって検出される。この発光ダイオードが検出したシリアルデータが、フォトカプラ２０４Ｂのフォトトランジスタを介してマイコン２００の入力ポート２００Ｂに入力される。  
【００９７】
マイコン１００は、所定ビット長のシリアルデータの送信の終了後には、フォトカプラ１１１ＢのフォトトランジスタをＯＮとして、シリアル通信回路２０４からシリアルデータが出力されるのに備える。マイコン２００は、所定ビット長のシリアルデータの受信の終了後には、第１出力ポート２００Ｃから出力する出力信号のレベルの切替えにより、フォトカプラ２０４ＣのフォトトランジスタのＯＮ／ＯＦＦを切替えて、シリアル通信回路２０４にシリアルデータを出力する。
【００９８】
フォトカプラ２０４ＣのフォトトランジスタがＯＮのときには、先述した経路と同様の経路にて電流が流れる。これにより、マイコン２００の第１出力ポート２００Ｃから出力されたシリアルデータは、フォトカプラ１１１Ａの発光ダイオードによって検出される。この発光ダイオードが検出したシリアルデータが、フォトカプラ１１１Ａのフォトトランジスタを介してマイコン１００の入力ポート１００Ａに入力される。  
【００９９】
以上のように、マイコン１００とマイコン２００との間でシリアル通信回路１１１およびシリアル通信回路２０４を介してシリアルデータの通信を行う際に、第１ＬＥＤ２０４Ａに電流が流れるので、第１ＬＥＤ２０４Ａは発光する。空気調和機１が正常状態の場合、シリアル通信が行われることにより第１ＬＥＤ２０４Ａは発光する。
【０１００】
ここで、異常時用ＬＥＤ回路２０５は、第２ＬＥＤ２０５Ａと、抵抗Ｒ７を有する。第２ＬＥＤ２０５Ａのアノードには、所定の電源電圧Ｖ３が印加される。第２ＬＥＤ２０５Ａのカソードは、抵抗Ｒ７を介してマイコン２００の第２出力ポート２００Ｄに接続される。空気調和機１が正常状態の場合、マイコン２００は、第２出力ポート２００Ｄから出力する出力信号をＯＦＦのレベルで維持することで、第２ＬＥＤ２０５Ａに電流を流さず、第２ＬＥＤ２０５Ａを発光させない。これにより、消費電力を抑制することができる。
【０１０１】
一方、空気調和機１が異常状態の場合、マイコン２００は、第２出力ポート２００Ｄから出力する出力信号をＯＮのレベルとすることで、第２ＬＥＤ２０５Ａに順方向電圧を印加させ、第２ＬＥＤ２０５Ａに電流を流し、第２ＬＥＤ２０５Ａを発光させる。この場合、正常状態の場合でシリアル通信の際に第１ＬＥＤ２０４Ｂに流す電流よりも大きな電流を第２ＬＥＤ２０５Ａに流す。第２ＬＥＤ２０５Ａに流す電流は、第２出力ポート２００Ｄから出力される出力信号のＯＮデューティによって設定される。このとき、第２ＬＥＤ２０５Ａは点灯を維持してもよいし、先述した図６に示すような点滅動作を行ってもよい。
【０１０２】
これにより、空気調和機１が正常状態でシリアル通信の際に発光する第１ＬＥＤ２０４Ａよりも、空気調和機１が異常状態の場合に第２ＬＥＤ２０５Ａは明るく発光する。異常時用ＬＥＤ回路２０５は、電装品２３３（図１）に含まれるので、サービスマンは電装蓋２３２を外すだけで、異常状態の場合に明るく発光する第２ＬＥＤ２０５Ａから出射されて外部へ漏れ出た光を確認することができるので、故障確認が行い易くなる。また、正常状態の場合には、シリアル通信のときに流れる電流を利用して第１ＬＥＤ２０４Ａを駆動させるので、消費電力が増加することがなくなる。
【０１０３】
＜６．第６実施形態＞
次に、本発明の第６実施形態について説明する。図１３は、第６実施形態に係る空気調和機１の構成を示すブロック図である。第６実施形態は、先述した第５実施形態の変形例であり、図１３は図１１に対応する図である。
【０１０４】
図１３に示す第６実施形態に係る構成の図１１に示す第５実施形態との相違点は、室外機２０において異常時用ＬＥＤ駆動回路２０６が設けられ、異常時用ＬＥＤ駆動回路２０６にマイコン２００の第２出力ポート２００Ｄが接続されることである。本実施形態においては、シリアル通信回路１１１、第２端子Ｔ２、第３端子Ｔ３、第５端子Ｔ５、第６端子Ｔ６、シリアル通信回路２０４、および異常時用ＬＥＤ駆動回路２０６からＬＥＤ回路ＬＣ２が構成される。ＬＥＤ回路ＬＣ２は、シリアル通信回路２０４に含まれるＬＥＤ２０４Ａを駆動する回路であり、空気調和機１に備えられる。すなわち、第５実施形態と異なり、本実施形態で駆動されるＬＥＤは１つである。
【０１０５】
シリアル通信回路１１１、シリアル通信回路２０４、および異常時用ＬＥＤ駆動回路２０６の構成をより具体的に示した図１３に対応する図を図１４に示す。図１４は、先述した第５実施形態に係る図１２と対応する図であり、ここでは図１２との相違点について主に説明する。
【０１０６】
異常時用ＬＥＤ駆動回路２０６は、フォトカプラ２０６Ａと、抵抗Ｒ８、Ｒ９を有する。フォトカプラ２０６Ａのフォトトランジスタの入力端は、抵抗Ｒ８の一端に接続される。抵抗８の他端は、ＬＥＤ２０４Ａのカソードとフォトカプラ２０４Ｂの発光ダイオードの入力端とが接続されるノードに接続される。フォトカプラ２０６Ａのフォトトランジスタの出力端は、第４端子Ｔ４に接続される。
【０１０７】
フォトカプラ２０６Ａの発光ダイオードの入力端には、所定の電源電圧Ｖ４が印加される。当該発光ダイオードの出力端は、抵抗Ｒ９を介してマイコン２００の第２出力ポート２００Ｄに接続される。
【０１０８】
このような図１４に示す構成の動作について説明する。空気調和機１が正常状態の場合、マイコン２００は、第２出力ポート２００Ｄから出力する出力信号をＯＦＦを示すレベルに維持することで、フォトカプラ２０６Ａの発光ダイオードを発光させないようにし、フォトカプラ２０６ＡのフォトトランジスタをＯＦＦとする。これにより、異常時用ＬＥＤ駆動回路２０６は無効とされる。このとき、先述した第５実施形態と同様に、マイコン１００とマイコン２００との間でシリアル通信回路１１１およびシリアル通信回路２０４を介したシリアルデータの通信が行われる。このようなシリアルデータの通信の際に、ＬＥＤ２０４Ａには電流が流れるので、ＬＥＤ２０４Ａは発光する。
【０１０９】
一方、空気調和機１が異常状態の場合、マイコン２００は、第２出力ポート２００Ｄから出力する出力信号をＯＮを示すレベルとし、フォトカプラ２０６Ａの発光ダイオードを発光させる。このとき、第４端子Ｔ４と第５端子Ｔ５の間に商用電源による交流電圧が印加されるので、ＬＥＤ２０４Ａ、抵抗Ｒ８、およびフォトカプラ２０６Ａのフォトトランジスタを通じて電流が流れてＬＥＤ２０４Ａが発光する。。このとき、ＬＥＤ２０４Ａに流れる電流は、空気調和機１が正常状態でシリアル通信の際にＬＥＤ２０４Ａに流れる電流よりも大きい。ＬＥＤ２０４Ａに流れる電流は、第２出力ポート２００Ｄから出力する出力信号のＯＮデューティにより設定される。
【０１１０】
このように本実施形態では、マイコン２００により異常時用ＬＥＤ駆動回路２０６の無効／有効が切替えられる。空気調和機１が異常状態の場合、異常時用ＬＥＤ駆動回路２０６は有効となり、ＬＥＤ２０４Ａは、空気調和機１が正常状態の場合よりも明るく発光する。これにより、サービスマンは電装蓋２３２を外すだけで、異常状態の場合に明るく発光するＬＥＤ２０４Ａから出射されて外部へ漏れ出た光を確認することができるので、故障確認が行い易くなる。また、空気調和機１が正常状態の場合、シリアル通信のときに流れる電流を利用してＬＥＤ２０４Ａを駆動させるので、消費電力が増加することがなくなる。
【０１１１】
なお、異常時用ＬＥＤ駆動回路２０６においてフォトカプラ２０６Ａの代わりにリレーを用いてもよい。この場合、マイコン２００の制御によりリレーをＯＮ／ＯＦＦさせ、抵抗Ｒ８と第４端子Ｔ４の間の経路をＯＮ／ＯＦＦさせる。これにより、空気調和機１が正常状態の場合は、リレーがＯＦＦとされ、ＬＥＤ２０４Ａはシリアル通信の際に電流が流れて発光する。空気調和機１が異常状態の場合は、リレーがＯＮとされ、ＬＥＤ２０４は第４端子Ｔ４と第５端子Ｔ５の間の交流電圧に応じて点滅する。すなわち、異常時用ＬＥＤ駆動回路２０６は、リレーのＯＮ／ＯＦＦによって有効／無効が切替えられる。
【０１１２】
＜７．第７実施形態＞
次に、本発明の第７実施形態について説明する。本実施形態は、先述した第５、第６実施形態に係る構成のＬＥＤ回路およびマイコンの一動作例に関する。ここで、室外機２０の電装品２３３に温度センサ（サーミスタ）が設けられるとする。当該温度センサは、温度検出部に相当する。
【０１１３】
第５実施形態に係る図１１および図１２に示す構成においては、空気調和機１が異常状態の場合に、マイコン２００は、温度センサによる検知温度に応じて異常時用ＬＥＤ回路２０５における第２ＬＥＤ２０５Ａの明るさを変える。具体的には、検知温度が所定温度（例えば３０℃）以上の場合は、所定温度より低い場合に比べて、第２ＬＥＤ２０５Ａに流す電流を小さくする。マイコン２００は、第２出力ポート２００Ｄから出力する出力信号のＯＮデューティを切替えることで第２ＬＥＤ２０５Ａに流す電流を可変とする。
【０１１４】
また、第６実施形態に係る図１３および図１４に示す構成においては、空気調和機１が異常状態の場合に、マイコン２００は、温度センサによる検知温度に応じて異常時用ＬＥＤ駆動回路２０６を介してＬＥＤ２０４Ａの明るさを変える。具体的には、検知温度が所定温度以上の場合は、所定温度より低い場合に比べて、ＬＥＤ２０４Ａに流す電流を小さくする。マイコン２００は、第２出力ポート２００Ｄから出力する出力信号のＯＮデューティを切替えることでＬＥＤ２０４Ａに流す電流を可変とする。
【０１１５】
温度が高いときにＬＥＤに大きな電流を流すと、ＬＥＤの寿命が短くなるので、ＬＥＤに大きな電流を流さないようにして寿命を長くすることができる。
【０１１６】
＜８．その他＞
以上、本発明の実施形態について説明したが、本発明の範囲はこれに限定されるものではなく、発明の主旨を逸脱しない範囲で種々の変更を加えて実施することができる。また、本発明の実施形態のうちいくつか或いはすべてを組み合わせて実施してもよい。
【産業上の利用可能性】
【０１１７】
本発明は、室外機を備えた空気調和機に利用することができる。
【符号の説明】
【０１１８】
１  空気調和機
２  筐体
３  オープンパネル
４  吸込口
５  吹出口
６  電源コード
７  横風向板
１０  室内機
１０Ａ  室内熱交換器
１００  マイコン
１００Ａ  入力ポート
１００Ｂ  出力ポート
１０１  人感センサ
１０２  温度センサ
１０３  湿度センサ
１０４  赤外線受光部
１０５  報知部
１０６  送風機
１０７  横風向板駆動部
１０８  縦風向板駆動部
１１０  第１端子板
１１１  シリアル通信回路
１１１Ａ  フォトカプラ
１１１Ｂ  フォトカプラ
Ｔ１〜Ｔ８  第１端子〜第８端子
２０  室外機
２０Ａ  圧縮機
２０Ｂ  室外熱交換器
２０Ｃ  四方弁
２０Ｄ  膨張弁
２０Ｅ  温度センサ
２００  マイコン
２００Ａ  出力ポート
２００Ｂ  入力ポート
２００Ｃ  第１出力ポート
２００Ｄ  第２出力ポート
２０２  ＬＥＤ回路
２０２Ａ  ＬＥＤ
２０２Ｂ  抵抗
２０２１  ＬＥＤ回路
２０２１Ａ  ＬＥＤ
２０２１Ｂ  抵抗
２０２１Ｃ  トランジスタ
２０２２  ＬＥＤ回路
２０２２Ａ  ＬＥＤ
２０２２Ｂ  抵抗
２０２２Ｃ  トランジスタ
２０２２Ｄ  抵抗
２０３  第２端子板
２０４  シリアル通信回路
２０４Ａ  第１ＬＥＤ
２０４Ｂ  フォトカプラ
２０４Ｃ  フォトカプラ
２０５  異常時用ＬＥＤ回路
２０５Ａ  第２ＬＥＤ
２０６  異常時用ＬＥＤ駆動回路
２０６Ａ  フォトカプラ
２１  筐体
２２  送風機
２３  電装部
２３１  電装箱
２３２  電装蓋
２３３  電装品
９０  接続部
Ｐ  電源プラグ
【図１】
2018189248.tif 000003
【図２】
2018189248.tif 000004
【図３】
2018189248.tif 000005
【図４】
2018189248.tif 000006
【図５】
2018189248.tif 000007
【図６】
2018189248.tif 000008
【図７】
2018189248.tif 000009
【図８】
2018189248.tif 000010
【図９】
2018189248.tif 000011
【図１０】
2018189248.tif 000012
【図１１】
2018189248.tif 000013
【図１２】
2018189248.tif 000014
【図１３】
2018189248.tif 000015
【図１４】
2018189248.tif 000016